(57)【要約】【課題】  一端にソケット接続用のプラグ筒部(3)が設けられ、他端にガス配管に螺合接続させるためのネジ筒部(13)が設けられているガス漏れ検査用プラグにおいて、不用意に外れることがなく、必要に応じて容易に取り外すことのできるネジキャップ(2)を提供すること。【解決手段】  ネジ筒部(13)は、雄ネジ部(15)が形成された主筒部(11)と、その開放端側に延長形成され且つ雄ネジ部(15)が形成されていない補助筒部(12)とから構成されており、前記ガス配管への接続前にネジ筒部(13)に被覆させるネジキャップ(2)は、全体が軟質合成樹脂の一体成型により構成されており、主筒部(11)を被覆する第１キャップ(21)部と、補助筒部(12)を被覆する第２キャップ部(22)とから構成されていること。【選択図】    図２
2006118598.tif 000002
【特許請求の範囲】
【請求項１】
一端にソケット接続用のプラグ筒部が設けられ、他端にガス配管に螺合接続させるためのネジ筒部が設けられているガス漏れ検査用プラグにおいて、
前記ネジ筒部は、雄ネジ部が形成された主筒部と、その開放端側に延長形成され且つ前記雄ネジ部が形成されていない補助筒部とから構成されていると共に、前記ガス配管への接続前には、ネジキャップによって全体的に被覆されており、
前記ネジキャップは、全体が軟質合成樹脂の一体成型により構成されていると共に、前記主筒部を被覆する第１キャップ部と、前記補助筒部を被覆する第２キャップ部とを備え、
前記主筒部と補助筒部との境界部の外周面には、周方向に沿って係合溝が形成されており、
前記ネジキャップの前記第１キャップ部と前記第２キャップ部との境界部の内周面には、前記係合溝に嵌め込み可能な係合突部が内方に向かって突設されていることを特徴とするガス漏れ検査用プラグ。
【請求項２】
請求項１に記載のガス漏れ検査用プラグにおいて、前記主筒部は開放端へ向かって縮径するテーパネジ部であり、
前記補助筒部の外径は、前記ネジ筒部の最小径部の外径に略一致するか又はそれ以下に設定されていると共に、前記ネジキャップの装着状態で、前記テーパネジ部と前記第１キャップ部の間、および前記補助筒部と前記第２キャップ部の間には径方向の微小間隙を設け、ネジキャップがガス漏れ検査用プラグに対して回転自在であることを特徴とするガス漏れ検査用プラグ。
【発明の詳細な説明】
【技術分野】
【０００１】
本発明は、ガス漏れ検査用プラグ、特に、ガスメータの下流側に取り付けられて、ガス配管内又はガスメータ内の検圧を可能とするガス漏れ検査用プラグに関するものである。
【背景技術】
【０００２】
ガス漏れ検査用プラグとして、図４に示すものがある。このものは、ガス栓や、ガス配管に螺合装着されるネジ筒部(30)を具備するもので、これと、工具対応部(36)を介して反対側には、圧力測定器のソケットが着脱自在に接続可能なプラグ筒(3)が設けられている。このガス漏れ検査用プラグ内にはガス通路(32)が軸線方向に貫通しており、前記ガス通路(32)内には、これを開閉する弁体(34)等のガス通路開閉機構が内蔵されている。
この種ガス漏れ検査用プラグは、例えば、図１に示すように、ガスメータ(M)の下流側の配管(48)に接続させた分岐継手(45)に接続させて使用するもので、前記弁体(34)は、前記ソケット(5)を接続させると開弁し、ソケット(5)を取り外すと、プラグ筒(3)に内蔵されているバネ(35)の付勢力によって押され、前記プラグ筒(3)の開放端を閉塞する仕組みとなっている。
【０００３】
又、前記プラグ筒(3)には、図４に示すように、略全体を被覆する筒状のプラグキャップ(4)が取り外し可能に螺合装着されている。これにより、不使用時におけるプラグ筒(3)の気密性が確保される上に防塵効果も期待できる。
前記ネジ筒部(30)を前記ガス配管(45)等に螺合接続させる前のガス漏れ検査用プラグの未使用状態において、前記ネジ筒部(30)の開放端からガス通路(32)内に異物が混入したり、ネジ筒部(30)を構成している雄ネジ部のネジ山とネジ山の間に異物が挟まったり、又は、外的衝撃によって損傷したりする不都合を防止するために、前記ネジ筒部(30)にもネジキャップを被嵌させて保護しておくことが望ましい。
【０００４】
ネジ筒部に被嵌させるネジキャップ(44)として、特開２００１−１６５３８４に記載のものがある。このものは、ガス漏れ検査用プラグのネジ筒部に被嵌させるためのものではなく、フレキ配管(43)の先端に設けられているネジ筒部(33)に被覆させる軟質合成樹脂製キャップであり、図５に示すように、ネジ筒部(33)の開放端を被覆し且つ前記開放端内に嵌入させる嵌入部(40)を内側に突設させた開口覆い部(41)と、前記ネジ筒部(33)の胴部全体を覆う外周覆い部(42)とから構成されている。
【０００５】
前記嵌入部(40)をネジ筒部(33)の開口に嵌入させると共に、前記外周覆い部(42)をネジ筒部(33)の胴部に被覆させることにより、前記ネジキャップ(44)は、その弾性によって前記ネジ筒部(33)に略密嵌状態に装着されることとなり、前記ネジ筒部(33)及びその開放端を確実に保護できると共に、前記ネジキャップ(44)がネジ筒部(33)から不用意に外れにくいものとなっている。
【特許文献１】特開平１０−３３９３８４号公報
【特許文献２】特開２００１−１６５３８４号公報
【発明の開示】
【発明が解決しようとする課題】
【０００６】
この従来のネジキャップ(44)では、軟質合成樹脂の弾性を利用してネジ筒部(33)に密着状態に被覆させている上に嵌入部(40)をネジ筒部(33)の開放端に嵌め込んで装着しているものの、外周覆い部(42)はネジ筒部(33)の胴部に形成されている雄ネジ部に対して何ら係合状態にはなく、各ネジ山の各頂点に略接触する態様で被覆されているだけである。よって、ネジキャップ(44)を引き抜き方向に引っ張ると容易に外れてしまう。配管等へ接続される前にネジキャップ(44)が外されてしまうと、前記ネジ筒部(33)の開放端から内部に異物が侵入したり、雄ネジ部が外的衝撃により損傷したりといった上記不都合が生じる上に、さらに、前記ネジ筒部(33)の雄ネジ部に液状シール剤が塗布されている場合には、前記シール剤がネジ筒部(33)の開放端側に流れて、前記ガス通路(32)内に侵入してしまうといった不都合がある。
【０００７】
本発明は、かかる点に鑑みてなされたものであり、『一端にソケット接続用のプラグ筒部が設けられ、他端にガス配管に螺合接続させるためのネジ筒部が設けられているガス漏れ検査用プラグ』において、不用意に外れることがなく、必要に応じて容易に取り外すことのできるネジキャップを提供することを課題とする。
【課題を解決するための手段】
【０００８】
（１）請求項１に係る発明のガス漏れ検査用プラグは、『前記ネジ筒部は、雄ネジ部が形成された主筒部と、その開放端側に延長形成され且つ前記雄ネジ部が形成されていない補助筒部とから構成されていると共に、前記ガス配管への接続前には、ネジキャップによって全体的に被覆されており、
前記ネジキャップは、全体が軟質合成樹脂の一体成型により構成されていると共に、前記主筒部を被覆する第１キャップ部と、前記補助筒部を被覆する第２キャップ部とを備え、
前記主筒部と補助筒部との境界部の外周面には、周方向に沿って係合溝が形成されており、
前記ネジキャップの前記第１キャップ部と前記第２キャップ部との境界部の内周面には、前記係合溝に嵌め込み可能な係合突部が内方に向かって突設されていること』を特徴とするものである。
上記技術的手段は次のように作用する。
軟質合成樹脂製の一体成型により構成されたネジキャップは、第１キャップ部で、雄ネジ部が形成されている主筒部を被覆し、第２キャップ部で、雄ネジ部が形成されていない補助筒部を被覆する態様でネジ筒部に被嵌させられる。さらに、前記主筒部と補助筒部との境界部の外周面には、周方向に沿って係合溝が形成されており、前記ネジキャップの前記第１キャップ部と前記第２キャップ部との境界部の内周面には、前記係合溝に嵌め込み可能な係合突部が内方に向かって突設されており、前記係合突部が、ネジ筒部に形成された係合溝に嵌り込んで抜け止め状態に係合する態様となる。
【０００９】
（２）請求項２に係る発明のガス漏れ検査用プラグは、上記請求項１において、『前記主筒部は開放端へ向かって縮径するテーパネジ部であり、
前記補助筒部の外径は、前記ネジ筒部の最小径部の外径に略一致するか又はそれ以下に設定されていると共に、前記ネジキャップの装着状態で、前記テーパネジ部と前記第１キャップ部の間、および前記補助筒部と前記第２キャップ部の間には径方向の微小間隙を設け、ネジキャップがガス漏れ検査用プラグに対して回転自在である』ものでは、ネジキャップをガス漏れ検査用プラグに保持するために、雄ネジ部をネジキャップに食い込ませたり、ネジキャップを強制的に拡開する必要がなく、装着及び取外しをスムーズに行うことができる。
【発明の効果】
【００１０】
以上のように、請求項１に係る発明によれば、ネジキャップを装着させることにより、使用前のガス漏れ検査用プラグ内に、ごみや埃等の異物が混入したり、雄ネジ部が損傷したり、ネジ山とネジ山との間に異物が挟まったりする不都合を確実に防止することができる。又、主筒部の先端から補助筒部を延長形成していることから、前記主筒部の雄ネジ部にシール剤が塗布されている場合においては、前記シール剤が主筒部から配管内に直接流れ込むのを、配管接続の前後いずれの場合においても防止することができる。
【００１１】
上記効果に加えて、ネジキャップの係合突部をネジ筒部の係合溝に係合させることにより、前記ネジキャップは抜け止め状態に保持されることとなり、不用意に外れる不都合を防止することができるといった効果がある。又、前記シール剤がネジ筒部の先端側に流れても、前記係合溝に溜まることから、前記ネジ筒部の内部にシール剤が流れ込む不都合を確実に防止することができる。
【００１２】
請求項２に係る発明によれば、ネジキャップを強く押し込んでも、ネジキャップの底部が補助筒端部に当たるのみで、強制的にキャップを押し広げることがない。また、ネジキャップの装着状態でも直径方向には微小間隙があり、回転自在であるから、ネジキャップを拡開する力は作用しない。そのため、ネジキャップの装着状態でネジキャップが雄ネジ部に食い込んで外れにくいということがなく、ネジキャップの強制的な拡開により、ネジキャップ自体が破損することもない。又微小間隙なのでネジ山とネジ山との間に異物が挟まったりすることがない。
【発明を実施するための最良の形態】
【００１３】
次に、上記した本発明の実施の形態を図面に従って詳述する。
図１に示すものは、ガス漏れ検査用プラグ(1)の使用の一例を示すものである。
この実施の形態のガス漏れ検査用プラグ(1)は、工具対応部(14)の一方側に、ソケット(5)が着脱自在に接続可能なプラグ部(3)が設けられていると共に、他方側には、配管等の接続口に螺合接続させるためのネジ筒部(13)が設けられている。
このものでは、ガスメータ(M)のガス流出口(46)と各家庭内へガスを送り込むための送り管(47)との間の配管(48)に連通接続させた分岐継手(45)の接続口の一方に、前記ネジ筒部(13)を前記工具対応部(14)に工具を対応させることにより、螺合接続させて使用されるものとする。同図に示すように、ネジ筒部(13)を前記分岐継手(45)に接続させた状態においては、前記プラグ部(3)がガスメータ(M)の前方に向かって突出する態様となる。前記ソケット(5)は、圧力測定具(50)から延長するゴム管(51)の先端に連通接続されているものであり、前記プラグ部(3)の先端に前記ソケット(5)を接続させることにより、前記プラグ部(3)は開弁し、ガス流出口(46)から送り管(47)へ流れるガスの圧力を前記圧力測定具(50)によって測定することができる。
【００１４】
前記ガス漏れ検査用プラグ(1)を前記分岐継手(45)に接続させる前の未使用状態において、又、接続後であってもガス圧測定時以外は、前記プラグ部(3)には、図２に示すように、プラグキャップ(4)が装着されており、プラグ部(3)の開放端からごみ等の異物がガス漏れ検査用プラグ(1)の内部に侵入するのを防止している。
前記プラグキャップ(4)は、前記プラグ部(3)の基端部に形成されている雄ネジ部に螺合可能な金属製のネジ筒体であり、これを、前記プラグ部(3)の基端部近傍に設けられているパッキン(31)を押圧しながら締付けることにより、プラグ部(3)は、プラグキャップ(4)によって気密状態に閉塞されることとなる。
【００１５】
この実施の形態のガス漏れ検査用プラグ(1)のネジ筒部(13)は、雄ネジ部(15)が形成されている主筒部(11)と、前記主筒部(11)の開放端側に延長形成され且つ前記雄ネジ部(15)は形成されていない補助筒部(12)とから構成されており、前記主筒部(11)と補助筒部(12)との境界部の外周面には、周方向に沿って係合溝(10)が形成されている。前記主筒部(11)は、開放端に向かって縮径するテーパネジ部であると共に、補助筒部(12)は、前記主筒部(11)の最小径部である先端部の外径よりも小径な外径を有する円筒形状に構成されている。尚、ネジ筒部(13)の内径は、主筒部(11)から補助筒部(12)に至る全域において同径に構成されている。
【００１６】
すなわち、本願実施の形態のガス漏れ検査用プラグ(1)のネジ筒部(13)は、従来のネジ筒部(30)に比べて、補助筒部(12)の分、長く延長形成されているが、前記補助筒部(12)の外径は、主筒部(11)の先端の最小径部よりも小径に形成されていることから、ネジ筒部(13)を分岐継手(45)に接続させる際に、補助筒部(12)が邪魔になることがない。
又、ネジ筒部(13)の内径は段差なく一定に構成されているから、ガス通路(32)内をガスが通過する際に、ガス圧が変化する等の支障を来たすことがない。
【００１７】
主筒部(11)を分岐継手(45)に螺合接続させた状態において気密性が確保できるように、主筒部(11)の雄ネジ部(15)には、全体的にシール剤(16)が塗布される。このシール剤(16)は液状であることから、小径部側に流れ易い傾向にあるが、主筒部(11)の先端側に流れたシール剤(16)は、係合溝(10)に溜まる上に、その先には補助筒部(12)が連続していることから、配管への接続の前後いずれの場合においても前記シール剤(16)がガス漏れ検査用プラグ(1)の内部に流れ込むことはない。
そして、前記ネジ筒部(13)が分岐継手(45)に接続される使用前の状態においては、前記ネジ筒部(13)には、同図に示すように、ネジキャップ(2)が装着されているものとする。
【００１８】
前記ネジキャップ(2)は、前記主筒部(11)を被覆する第１キャップ部(21)と、補助筒部(12)を被覆する第２キャップ部(22)とを具備するように、軟質ポリエチレンの一体成型により構成されており、前記第１キャップ部(21)の内周面は、主筒部(11)を構成している雄ネジ部(15)よりわずかに大きくネジ山の各頂部に対し微小間隙を有するように、主筒部(11)のテーパに応じたテーパ筒状に構成されていると共に、第２キャップ部(22)も、補助筒部(12)の外径に対し微小間隙を有する円筒状に構成されている。そして、第１キャップ部(21)と第２キャップ部(22)との境界部分であって、前記ネジ筒部(13)の係合溝(10)に対応する内周面には、図３に示すように、３つの係合突部(20)が等間隔に内方に向かって突設させている。
【００１９】
前記ネジキャップ(2)をネジ筒部(13)に装着させるには、第２キャップ部(22)を補助筒部(12)に被嵌させ、押し込んでいくと、前記係合突部(20)の各々が、係合溝(10)の所定位置にそれぞれ嵌り込んで係合する態様となる。これにより、前記ネジキャップ(2)は、係合突部(20)の係合溝(10)への係合により、前記ネジキャップ(2)は、強制的に取り外されるまで、ネジ筒部(13)から不用意に脱落して外れることはない。
【００２０】
よって、ガス漏れ検査用プラグ(1)の使用前の状態において、プラグ筒(3)の開放端からも、ネジ筒部(13)の開放端からも、ガス漏れ検査用プラグ(1)の内部にごみ等の異物が侵入することはなく、又、プラグ筒(3)及びネジ筒部(13)は共に保護され、ネジ筒部(13)においては雄ネジ部(15)のネジ山とネジ山との間に異物が挟まったり、外的衝撃により損傷したりすることもなく、さらに、シール剤(16)の流れも阻止することができるから、ネジ筒部(13)は分岐継手(45)へ確実に気密状態に螺合させることができる。
【００２１】
このネジキャップ(2)は、ガス漏れ検査用プラグ(1)の使用前においてのみ、ネジ筒部(13)を保護するために装着させておくものであり、ガス漏れ検査用プラグ(1)をガス配管等に接続させて使用する場合には、強制的にネジ筒部(13)から外されて処分される使い捨てタイプとする。尚、前記ネジキャップ(2)は、弾性を有するので、引き抜くことにより係合溝(10)から容易に取り外すことが可能である。
【図面の簡単な説明】
【００２２】
【図１】本発明の実施の形態のガス圧検査用プラグの使用状態を示す説明図。
【図２】本発明の実施の形態のガス圧検査用プラグの断面図。
【図３】本発明の実施の形態のガス圧検査用プラグのネジ筒部に被嵌させるネジキャップを開放端側から見た説明図。
【図４】従来のガス圧検査用プラグの使用前の状態を示す断面図。
【図５】従来のネジキャップの一例を示す断面図。
【符号の説明】
【００２３】
(1) ・・・・・・ガス漏れ検査用プラグ
(11)・・・・・・主筒部
(12)・・・・・・補助筒部
(13)・・・・・・ネジ筒部
(15)・・・・・・雄ネジ部
(2) ・・・・・・ネジキャップ
(21)・・・・・・第１キャップ部
(22)・・・・・・第２キャップ部
(3) ・・・・・・プラグ筒部
【図１】
2006118598.tif 000003
【図２】
2006118598.tif 000004
【図３】
2006118598.tif 000005
【図４】
2006118598.tif 000006
【図５】
2006118598.tif 000007